(57)【特許請求の範囲】
【請求項１】
浴槽と、前記浴槽に隣接して設けられた洗い場床と、
前記浴槽リムと洗い場床との隙間を覆うためのバスエプロンと、
前記洗い場を隔てて前記浴槽に向き合う第１の壁面と、
前記第１の壁面から前記浴槽に渡って延在して設けられ、全体が洗い場床と離間して配置されたカウンターと、
前記カウンターにかかる荷重を支えるための支持材と、を備えた浴室ユニットであって、
前記支持材は、水平方向に延在して配置され、カウンターにかかる荷重を受けるためのカウンター受部と、
前記カウンター受部の一端に配置され、カウンターにかかる荷重を地面に伝達するための支持脚部と、を有し、
前記カウンターは、前記カウンター受部を掩蔽するように天板と下カバーとを有し、
前記カウンター受部における、前記支持脚部とは逆側の端部は前記第１の壁面に固定されており、
前記支持脚部の下端は、前記バスエプロンの裏側に載置されることを特徴とする
浴室ユニット。
【請求項２】
前記支持脚部の下端は、前記洗い場床の土手部に載置されることを特徴とする請求項１記載の浴室ユニット。
【請求項３】
前記支持脚部の下端は、前記洗い場床と、前記浴槽の下方側に配置される浴槽側防水パンとの接続部を跨るように配置された支持脚受材に載置されていることを特徴とする請求項１記載の浴室ユニット。
【請求項４】
前記支持脚は高さ調整可能であることを特徴とする請求項１または２記載の浴室ユニット。
【請求項５】
前記バスエプロンには、前記カウンター受部をエプロンの裏側に貫通させるための切り欠きが形成されていることを特徴とする請求項１乃至４のいずれかに浴室ユニット。
【請求項６】
前記第１の壁面から前記浴槽側に延在する第２の壁面には、一端が前記第２の壁面に取付固定される片持ち状の片持ち支持材を備え、
前記片持ち支持材の他端は、前記カウンター受部に載置されることを特徴とする請求項１乃至５のいずれかに浴室ユニット。
【発明の詳細な説明】
【技術分野】
【０００１】
本発明は、浴室にカウンターを備えた浴室ユニットに関する。
【背景技術】
【０００２】
従来、浴室内に設置されたカウンターの支持構造として、特許文献１に記載されているように、（洗い場床面と離間して）浴室壁面に取り付けられた支持材によって、カウンターの荷重を片持ち状に支える支持構造が知られている。
【０００３】
前記片持ち支持構造では、例えばカウンターに腰掛けるなど、カウンターにかかる荷重が大きい場合に、カウンターの支持強度が弱くカウンター先端のたわみが大きい、またはカウンターが脱落するなどの恐れがあった。
【０００４】
カウンターの支持強度を強くする支持構造として、特許文献２に記載されているように、カウンターにかかる荷重を支持脚を介して洗い場床面に伝達する支持構造が知られている。
しかし、洗い場床面上に支持脚が露出するため、カウンターの下方に足を入れるときに邪魔になり、カウンター下方の洗い場床面を掃除するときにも邪魔になり、デザイン上もすっきりしないので、洗い場床面上に支持脚が露出しないことが望ましい。
【０００５】
前記支持脚を洗い場床面上に露出させない構成として、特許文献３に、カウンター下方に洗い場床面まで延在した下カバーを設けて、下カバーで支持脚を掩蔽する図が開示されている。
しかし、下カバーが洗い場床面まで延在して設置されているため、カウンターの下に足を入れらない、洗い場床の面積が狭くなる、下カバーと洗い場床面との間の止水構造が煩雑になる、などから下カバーは洗い場床面まで延在しないことが望ましい。
【特許文献１】特開２００２−２２３９７５号公報
【特許文献２】特開２００３−１８０５４８号公報
【特許文献３】特許第３５８９６２７号公報
【発明の開示】
【発明が解決しようとする課題】
【０００６】
本発明は、腰掛けても十分な強度のあるカウンターが設置され、かつ、カウンター下方に足を入れるときやカウンター下方の洗い場床面を掃除するときに邪魔になるような支持材がカウンター下方と洗い場床面との間に露出することがなく、
かつ、カウンター下方の下カバーが洗い場床面まで延在しないため、洗い場床を広く利用できる、
浴室ユニットを提供する。
【課題を解決するための手段】
【０００７】
本発明の一態様によれば、浴槽と、前記浴槽に隣接して設けられた洗い場床と、前記浴槽リムと洗い場床との隙間を覆うためのバスエプロンと、前記洗い場を隔てて前記浴槽に向き合う第１の壁面と、前記第１の壁面から前記浴槽に渡って延在して設けられ、全体が洗い場床と離間して配置されたカウンターと、前記カウンターにかかる荷重を支えるための支持材と、を備えた浴室ユニットであって、前記支持材は、水平方向に延在して配置され、カウンターにかかる荷重を受けるためのカウンター受部と、前記カウンター受部の一端に配置され、カウンターにかかる荷重を地面に伝達するための支持脚部と、を有し、前記カウンターは、前記カウンター受部を掩蔽するように天板と下カバーとを有し、前記カウンター受部における、前記支持脚部とは逆側の端部は前記第１の壁面に固定されており、前記支持脚部の下端は、前記バスエプロンの裏側に載置されることを特徴とする浴室ユニットが提供される。
【発明の効果】
【０００８】
本発明によれば、腰掛けても十分な強度のあるカウンターが設置され、かつ、カウンター下方に足を入れるときやカウンター下方の洗い場床面を掃除するときに邪魔になるような支持材がカウンター下方と洗い場床面との間に露出することがなく、かつ、カウンター下方の下カバーが洗い場床面まで延在しないため、洗い場床を広く利用できる、浴室ユニットが提供される。
【発明を実施するための最良の形態】
【０００９】
以下、図面を参照し、本発明の実施形態について説明する。
【００１０】
図３は、本発明の実施形態に係る浴室ユニットにおける浴室内の斜視図である。
【００１１】
本実施形態に係る浴室ユニットは、主として、浴槽１と、洗い場（床）２と、カウンター７０と、棚付き水栓４とを備える。これらは、壁パネル５、６、７、８（壁パネル８は図１２に図示）及びドアＤＲによって画設された浴室内に配設されている。なお、壁パネルの一部に窓を設けてもよい。
【００１２】
浴槽１は、内槽１１と、この内槽１１の上縁部のまわりに設けられた浴槽リム１２とを有する。浴槽１は、ドアＤＲから見て浴室の奥側に配設され、ドアＤＲに対向する奥側の壁パネル５に隣接している。あるいは、壁パネル５は、浴槽１における奥側の上縁部の上に立設されてもよい。ドアＤＲの横には、浴槽１及び洗い場２を挟んで壁パネル５に対して略平行に対向する壁パネル７が設けられている。浴室出入口及びドアＤＲは、浴槽１の横であって、壁パネル６に向き合う位置に設けてもよい。
【００１３】
浴槽１は、その長辺方向が、壁パネル５、７に対して略平行になる向きで配置されている。浴槽１の手前側に、洗い場床２が浴槽１に隣接して配設されている。
【００１４】
浴槽リム１２は、内槽１１の上縁部から外側に張り出して設けられている。浴槽リム１２において内槽１１の長手方向の両端部にそれぞれ設けられた短辺リム１２ａ、１２ｂのうち一方の短辺リム１２ａは、他方の短辺リム１２ｂよりも短辺側の幅が大きく、この短辺リム１２ａの上に着座可能となっている。この短辺リム１２ａの短辺側の幅ｂは、例えば３０５（ｍｍ）であり、他方の短辺リム１２ｂの短辺側の幅ｃは、例えば２００（ｍｍ）である。内槽１１の長手方向寸法ａは、例えば１１４５（ｍｍ）である。
【００１５】
幅が狭い短辺リム１２ｂにおけるその外側の長辺縁部は、浴槽１側及び洗い場２側で共通な（一体な）壁パネル６に隣接している。あるいは、短辺リム１２ｂの外側の長辺縁部の上に立設される壁パネルと、この壁パネルに対してジョイナーを介して隣接する洗い場床側の壁パネルとを別体で設けてもよい。壁パネル６は、コーナージョイナーを介して、壁パネル７に対して略直角につながっている。幅が広い短辺リム１２ａにおけるその外側の長辺縁部は、図１２に表すように、壁パネル６に対して略平行に対向する壁パネル８に隣接している。
【００１６】
壁パネル６と壁パネル７とのコーナー部には、例えば平面輪郭形状が直角台形状の棚付き水栓４が設けられている。  
図４は、棚付き水栓４の拡大斜視図である。
【００１７】
棚付き水栓４は、互いに平行な一対の対辺部１３、１４と、これら対辺部１３、１４の一端側に設けられ、対辺部１３、１４に対して略直角につながる後端辺部１５と、対辺部１３、１４の他端側に設けられ、対辺部１３、１４に対して傾斜してつながる斜辺部１６とを有する。
【００１８】
一対の対辺部１３、１４のうち長辺側の対辺部１３は壁パネル７に隣接し、後端辺部１５は壁パネル６に隣接している。すなわち、棚付き水栓４は、その長辺側の対辺部１３及び後端辺部１５を壁パネル７から壁パネル６にかけてのコーナー面に沿わせて両壁パネル６、７に取り付けられている。長辺側の対辺部１３は、短辺側の対辺部１４よりも長い。なお、棚付き水栓４の上方における壁パネル７の壁面に鏡を設けてもよい。
【００１９】
棚付き水栓４の下面には、図示しないカラン用湯水供給口に接続されたカラン１７が取り付けられている。なお、カラン１７を設けずに、棚付き水栓４の下面に形成した吐水口から湯水が吐水されるようにしてもよい。また、棚付き水栓４の下面には、シャワー用湯水供給口が形成され、そのシャワー用湯水供給口には、シャワーホース２１の一端が接続され、シャワーホース２１の他端はシャワーヘッド２２に接続されている。
【００２０】
壁パネル７において、ドアＤＲと棚付き水栓４との間の部分には、シャワーヘッド保持部３３が設けられている。シャワーヘッド保持部３３は、上下方向に延在して設けられたバー部材３１と、このバー部材３１に対して上下動自在に係合し、シャワーヘッド２２を掛止することが可能なフック部３２とを有する。シャワーヘッド２２は、フック部３２に掛けられた状態でフック部３２ごとバー部材３１に沿って上下動可能となっている。また、バー部材３１は手すりも兼ねている。
【００２１】
斜辺部１６は、両壁パネル６、７に対して傾斜しつつ洗い場２に臨んで位置し、この斜辺部１６に水栓操作部２５が設けられている。水栓操作部２５は、具体的には、カラン開閉操作部２６と、シャワー開閉操作部２７とを有する。カラン開閉操作部２６は、斜辺部１６と短辺側の対辺部１４との間の角部近くに設けられ、カラン開閉操作部２６の横にシャワー開閉操作部２７が並んで設けられている。カラン１７とシャワーヘッド２２とは、水栓操作部２５が設けられた斜辺部１６を挟んで配置され、斜辺部１６においてカラン１７側にカラン開閉操作部２６が設けられ、シャワーヘッド２２側にシャワー開閉操作部２７が設けられている。
【００２２】
カラン開閉操作部２６は、下方に押し込まれることで、カラン用湯水供給口を開閉する。同様に、シャワー開閉操作部２７は、下方に押し込まれることで、シャワー用湯水供給口を開閉する。カラン開閉操作部２６の押圧面２６ａ及びシャワー開閉操作部２７の押圧面２７ａは、棚上面３４における斜辺部１６寄りの端に位置している。
【００２３】
棚付き水栓４の上面３４には、カラン１７やシャワーヘッド２２から吐水される湯水の温度を調整する温度調節ハンドル２８が設けられている。
【００２４】
カウンター７０は、棚付き水栓４の下方における壁パネル７の壁面に隣接し、その部分から、浴槽１における幅が狭い短辺リム１２ｂ近傍に向けて延在して洗い場２に配設されている。カウンター７０において、洗い場２側から見た後端部４２は壁パネル６の壁面に隣接し、その後端部４２から洗い場２側に略水平に突き出るようにして設けられている。
【００２５】
カウンター７０の後端部４２は、浴槽１における短辺リム１２ｂの外側の長辺縁部の延長上に位置し、その後端部４２と、洗い場２側に臨む前端部４１との間の幅ｄは、短辺リム１２ｂの幅ｃより大きく、例えば４３０ｍｍである。
【００２６】
カウンター７０は、強度や防水性などを考慮して、例えばＦＲＰ（Fiber Reinforced Plastic）からなるカウンター本体７５を備える。棚付き水栓４の下方におけるカウンター本体７５表面は洗面器置部４９として機能する。洗面器置部４９に洗面器を置いた状態でカラン１７の吐水口が洗面器に対向し、その吐水口から吐水される湯水を洗面器に供給することが可能となっている。
【００２７】
図５は、カウンター７０の拡大斜視図である。
【００２８】
洗面器置部４９に隣接して、カウンター本体７５に一体に設けられた着座面７１、および着座面７１のまわりに着座面７１よりも低く形成された排水路７２ａ〜７２ｅが設けられている。
【００２９】
着座面７１は、浴槽リム１２上面と略同じ高さに設けられている。また、意匠性や、座ったときの感触等を向上させるため、ＦＲＰからなるカウンター本体７５とは異なる材料（例えばＡＢＳ樹脂材）を貼り付ける、あるいは埋め込むなどして着座面７１が構成される。
【００３０】
カウンター７０の背後の壁パネル６は、着座面７１に着座した着座者の背もたれとして機能する。その壁パネル６において、着座者の背中が接触する部分には、着座面７１と同様例えばＡＢＳ樹脂からなる背もたれ部５２が設けられている。
【００３１】
カウンター本体７５と浴槽１との間における、浴槽リム１２の上面、着座面７１及び排水路７２ａ〜７２ｅよりも低く下がった位置に凹状の排水溝４７が設けられている。排水溝４７と浴槽１との間には、わずかな隙間が形成されている。排水溝４７の長さはカウンター本体７５の幅ｄと略同じもしくは短い。排水溝４７の幅は約４０ｍｍである。排水溝４７には、壁パネル６に隣接する後端部から洗い場２に臨む前端部に向かう方向に例えば１／５０の下り勾配がつけられている。
【００３２】
着座面７１と洗面器置部４９との間には、カウンター７０の短手方向に沿って排水路７２ｄ、７２ｅが形成されている。排水路７２ｄ、７２ｅは、着座面７１及び洗面器置部４９よりも低い溝として形成されている。排水路７２ｄ、７２ｅには、壁パネル６側（後端側）から洗い場２側（前端側）に向かう方向に下り勾配がつけられ、また排水路７２ｅにおいて洗い場２側の前端は開放端となっているため、排水路７２ｄ、７２ｅに流れ込んだ湯水は洗い場２側に向けて流れ、洗い場２の床に落下する。
【００３３】
着座面７１をカウンター７０の短手方向に２分割するように、カウンター７０の長手方向に沿って排水路７２ａが形成されている。着座面７１の前端側には排水路７２ｂが形成され、着座面７１の後端側には排水路７２ｃが形成されている。排水路７２ｂ、７２ｃは、排水路７２ａに対して略平行に形成されている。排水路７２ａ〜７２ｃのそれぞれの一端（図３において右端）は排水路７２ｄ、７２ｅにつながっており、それぞれの他端（図３において左端）は排水溝４７につながっている。
【００３４】
排水路７２ａ、７２ｃは、排水路７２ｄ、７２ｅ側から排水溝４７側に向かう方向に下り勾配がつけられている。排水路７２ｂは、その長手方向の中央から排水路７２ｄ、７２ｅに向かう方向に下り勾配が付けられていると共に、その長手方向の中央から排水溝４７に向かう方向に下り勾配がつけられている。
【００３５】
排水路７２ａによって分割されたそれぞれの着座面７１において、排水路７２ｂ、７２ｃにそれぞれ最も近い部分は略同じ高さとなっており、その部分から排水路７２ａに向かいつつ且つ排水溝４７に向かう方向に下り勾配がつけられている。着座面７１において洗面器置部４９に最も近い部分には、排水路７２ａに向かって例えば１／３２の下り勾配がつけられ、排水溝４７に最も近い部分には、排水路７２ａに向かって例えば１／１６の下り勾配がつけられている。着座面７１において排水路７２ａに最も近い部分には、排水溝４７に向かって緩やかな（例えば１／１８０または１／９０の）下り勾配がつけられている。
【００３６】
カウンター７０において着座者が着座する部分に、前述したような勾配をつけることで、排水路７２ａの溝幅それほど広く確保しなくても、また溝深さをそれほど深くしなくても、十分な排水性が得られる。したがって、排水路７２ａの溝幅を狭くできることで、着座者の臀部に違和感を与えにくくでき、また排水路７２ａを浅くできることで清掃性を向上させることができる。
【００３７】
本実施形態によれば、図１１に表すように、カウンター７０の着座面７１に腰掛けつつ、浴槽１に対して出入りすることができる。
【００３８】
浴槽１に入るときは、まず、洗い場２側を向いてカウンター７０の着座面７１に腰掛けた後、体を浴槽１側に向けて、右手で短辺リム１２ｂ上方の壁パネル６壁面に取り付けられた手すり５６をつかみ、左手でカウンター７０の前端部４１をつかんで体を支えつつ、右脚から順に両脚を内槽１１に入れた後、上半身をカウンター７０の着座面７１上から内槽１１内に移乗させる。
【００３９】
浴槽１から出るときは、入るときと逆に、まず、上半身を内槽１１内からカウンター７０に移乗させて着座面７１に腰掛けた後、左脚から順に両脚を内槽１１から出しつつ体を洗い場２側に向ける。
【００４０】
また、カウンター７０が設けられた短辺リム１２ｂの反対側の短辺リム１２ａは、短辺リム１２ｂよりも幅が広く、人が腰掛けるのに十分な幅ｂ（例えば３０５ｍｍ）を有している。したがって、図１２に表すように、その短辺リム１２ａに腰掛けつつ、浴槽１に対して出入りすることができる。
【００４１】
浴槽１に入るときは、まず、洗い場２側を向いて短辺リム１２ａに腰掛けた後、体を浴槽１側に向けて、左手で壁パネル５壁面に取り付けられた手すり５７をつかんで体を支えつつ、左脚から順に両脚を内槽１１に入れた後、上半身を短辺リム１２ａ上から内槽１１内に移乗させる。
【００４２】
浴槽１から出るときは、入るときと逆に、まず、上半身を内槽１１内から短辺リム１２ａに移乗させて短辺リム１２ａ上に腰掛けた後、右脚から順に両脚を内槽１１から出しつつ体を洗い場２側に向ける。
【００４３】
本実施形態によれば、浴槽１の長手方向の両端側それぞれから浴槽１に対して出入りできるが、その移乗に際して人が腰掛けるのに十分な広さの短辺リムを片側にだけしか設けていないため、限られた浴槽設置スペース内で、浴槽両端に広いリム面を設ける場合に比べて、内槽１１の長手方向寸法ａの短縮を抑えることができる。この結果、窮屈な入浴感を与えず、快適な入浴が可能となる。
【００４４】
腰掛けるには狭い他方の短辺リム１２ｂ側には、カウンター３を設けているため、このカウンター３を使って他方の端部側からの内槽１１への出入りが可能となる。カウンター３は、洗い場２において壁パネル６側の端に設けられ、浴槽リムの両端部共が洗い場側に出っ張っていないため、洗い場の窮屈感も与えない。
【００４５】
カウンター７０は、浴槽１に対する出入りに使うだけに限らない。カウンター７０の着座面７１に着座した状態で、棚付き水栓４やシャワーヘッド２２を用いて、洗体や洗髪を行える。
【００４６】
前述したように、着座面７１には、カウンター７０の短手方向中央に向かう方向に下り勾配がつけられているため、石鹸水などで着座面７１上がすべりやすくなっても、着座者は着座面７１上からずれ落ちることなく安定して腰掛けられる。
【００４７】
着座面７１の短手方向中央から洗い場２側の前端部に向けて上向き傾斜の勾配となっており、且つカウンター７０の前端部と着座面７１との間に排水路７２ｂが形成されているため、洗体や洗髪に使われ、汚れを洗い落とした湯水がカウンター７０の前端部から落下して、着座者のふくらはぎや足にかかることによる不快感を抑制できる。
【００４８】
カウンター７０上での洗体や洗髪により生じた、汚れを洗い流した湯水は、着座面７１より低い位置に形成された排水路７２ａ〜７２ｃに流れるので、汚れた湯水が着座面７１に着座した着座者の臀部周辺に滞留することを抑制でき、着座者に不快感を与えない。
【００４９】
排水路７２ａ〜７２ｃ内の湯水は、排水溝４７に向かって流れ、排水路７２ａ〜７２ｃより低い位置に形成された排水溝４７に流れ込む。排水溝４７は、洗い場２側に向かって下り勾配がつけられているため、排水溝４７に流れ込んだ湯水は、洗い場２側に向けて流れ、洗い場２の床に落下する。排水溝４７は、浴槽リム１２よりも低い位置に設けられているため、また排水溝４７は比較的広い幅（約４０ｍｍ）を有していることもあって、排水路７２ａ〜７２ｃを流れてきた汚水が内槽１１内に入り込むことがない。
【００５０】
排水溝４７から洗い場２の床に落下した排水は、その床面上につけられた排水勾配に沿って、浴槽１と洗い場２床との境界部近傍に設けられた排水口（図示省略）に流れ込み、浴室内から排水される。排水溝４７は着座面７１に対して横にずれた位置に設けられ、排水溝４７を流れた汚水の洗い場２床上への落下地点と、洗い場２の床に形成された排水口との間には、着座者の足が位置せず、着座者の足に汚水が触れることを回避できる。
【００５１】
排水溝４７は、狭いスリット状ではなく、比較的幅が広く且つ浅い凹状に設けられているため、清掃性が良く、また手が挟まれることもない。また、排水溝４７は、上に出っ張っていない凹状であるため、着座面７１から浴槽１に移乗もしくは浴槽１から着座面７１に移乗するとき、排水溝４７は障害物とならず違和感なく円滑に移乗できる。
【００５２】
洗面器置部４９と着座面７１との間には、それら洗面器置部４９及び着座面７１より低い位置に形成された溝として排水路７２ｄ、７２ｅが設けられており、排水路７２ｄ、７２ｅに流れ込んだ湯水は、洗い場２側に向けて流れ、洗い場２の床に落下する。したがって、洗面器置部４９上で洗面器からあふれた汚水（洗面器内でタオルを洗ったり、顔を洗ったりしたときに生じる湯水）が着座面７１に流れ込まず、着座者に不快感を与えない。
【００５３】
カウンター７０上の湯水は、カウンター７０と浴槽１との境界に設けた排水溝４７以外にも、洗面器置部４９と着座面７１との間に設けた排水路７２ｅを介しても、洗い場２の床上に落下させカウンター７０上から排水することができる。これにより、排水路７２ｂ、７２ｃ、７２ｄの溝深さをそれほど深くしなくても、それら排水路７２ｂ、７２ｃ、７２ｄから湯水をあふれさせることなく、十分な排水性能を確保できる。排水路７２ｂ、７２ｃ、７２ｄの溝深さを浅くできることで、それら排水路７２ｂ、７２ｃ、７２ｄの清掃性が良くなる。
【００５４】
次に、図１は、本発明の実施形態に係るカウンターの前端部近傍の断面図である。
【００５５】
このカウンターは、カウンター天板６１とカウンター下カバー６２とを組み合わせて構成される。カウンター天板６１の上面に、着座面と洗面器置部が設けられる。カウンター天板６１の前端部６１ａは下方に屈曲して断面Ｌ字状になっている。そのカウンター天板６１の前端部６１ａに対して下側から、カウンター下カバー６２の前端部６２ａが係合している。カウンター天板６１の前端部６１ａ及びカウンター下カバー６２の前端部６２ａによって把持部４１が構成される。
【００５６】
把持部４１は洗い場に臨み、洗い場側を向いて着座面に着座した着座者が、把持部４１の裏面に指先をまわり込ませて把持部４１を包むように握ることができる。着座者が洗い場側を向いて着座面に着座した状態で、把持部４１を握りやすくするために、把持部４１の厚さＡは、例えば３０ｍｍ以上５５ｍｍ以下に設計される。
【００５７】
把持部４１は、例えば図１３に表すように、着座面７１上から浴槽１に移乗入浴する際に、着座面７１上を浴槽１に向けて移動するときに利用することができる。着座者は、洗い場２側を向いて着座面７１に腰掛けた状態で把持部４１を握って腰を少し浮かせて、カウンター７０上を横移動することができる。着座者は、体をひねらせるなど無理な姿勢をとることなく、洗い場２側を向いてカウンター７０に腰掛けた姿勢で自然に把持部４１を握れるため、前述した移乗時の横移動を楽に行える。
【００５８】
また、図１４に表す着座した状態から把持部４１を握って図１５に表すように腰を浮かせて立ち上がる動作の際に、把持部４１を使うこともできる。
【００５９】
また、図１６に表すように、カウンター７０において洗面器置部４９寄りの着座面７１に座った状態で、壁パネル７に保持されたシャワーヘッド２２に左手を伸ばす動作の際に、右手で把持部４１をつかんで体の支えとすることもできる。
【００６０】
図２は、カウンター７０の把持部４１の他の具体例を表す模式図である。
【００６１】
カウンター７０のカウンター本体７５において、洗い場に臨む前端部は把持部４１として機能し、洗い場側を向いて着座面に着座した着座者が、把持部４１の裏面に指先をまわり込ませて把持部４１を包むように握ることができる。着座者が洗い場側を向いて着座面に着座した状態で、把持部４１を握りやすくするために、把持部４１の厚さＡは、例えば３０ｍｍ以上５５ｍｍ以下に設計される。
【００６２】
また、把持部４１の裏面における着座者の指先がかかる部分には、カウンター７０の長手方向に沿って延在する凹部４１ａが形成されている。把持部４１の前端面から凹部４１ａの中央までの距離Ｂは、例えば２０〜４０ｍｍである。カウンター７０の上面（着座面）から凹部４１ａまでの距離（厚さ）Ｃは、例えば５〜２０ｍｍである。このような凹部４１ａを把持部４１の裏面に形成することで、着座者が把持部４１を握ったときに凹部４１ａに指先がかかるのでしっかりと握ることができる。
【００６３】
次に、図６〜１０を参照して、カウンターの他の具体例について説明する。
【００６４】
図６は、本具体例のカウンター３における着座面の拡大斜視図である。  
図７は、カウンター３と浴槽１との境界部分の拡大斜視図である。  
図８は、図７においてすのこを取り外した状態を表す。  
図９は、カウンター３と浴槽１との境界部分の断面図である。  
図１０は、カウンター本体４３における浴槽１側の端部を浴槽１側から見た斜視図である。
【００６５】
カウンター３のカウンター本体４３において、洗面器置部４９に隣接する部分と、排水溝４７との間の部分には凹部が設けられ、その凹部に、すのこ４４が着脱自在に嵌め込まれている。
【００６６】
図８に表すように、凹部４８には、排水路５１が形成されている。すのこ４４は、カウンター３の短手方向に２分割された２つのすのこ４５、４６からなる。それぞれのすのこ４５、４６の縁部には、裏面側に突出するリブ状の側壁５２（図１０参照）が一体に設けられ、その側壁５２下端を、凹部４８底面に部分的に設けられた凸部上に載置することで、排水路５１とすのこ４４裏面との間に排水のための空間が確保される。
【００６７】
すのこ４４の上面は着座面として機能し、すのこ４４が凹部４８に嵌めこまれた状態で、その着座面は、凹部４８周辺のカウンター本体４３上面と略面一になり、着座部分には凹凸が形成されない。また、着座面は、洗面器置部４９上面と略面一である。着座面は、浴槽リム１２上面と略同じ高さに設けられている。すのこ４４は、例えばＦＲＰからなるカウンター本体４３とは異なる材料である例えばＡＢＳ樹脂などからなる。
【００６８】
カウンター本体４３と浴槽１との間には、浴槽リム１２の上面及び着座面よりもくぼんだ凹状の排水溝４７が設けられている。図９に表すように、排水溝４７は、バスエプロン５４との間にわずかな隙間を形成してバスエプロン５４に対向している。排水溝４７の長さはカウンター本体４３の幅ｄと略同じもしくは短い。排水溝４７の幅は約４０ｍｍである。排水溝４７には、壁パネル６に隣接する後端部から洗い場２に臨む前端部に向かう方向に例えば１／５０の下り勾配がつけられている。
【００６９】
図８に表すように、排水溝４７側の凹部４８側壁の一部には、排水路５１と排水溝４７とをつなげる連通路５３が形成されている。排水路５１には、排水溝４７に向かう方向に例えば１／１００の下り勾配がつけられている。
【００７０】
着座面には、カウンター前端部４１及び後端部４２のそれぞれから、２つのすのこ４５、４６の分割部分に向かう方向に例えば１／５０の下り勾配がつけられている。
【００７１】
本具体例のカウンター３においても、その着座面は、カウンター３の短手方向中央に向かって前端部側及び後端部側から下り勾配が付けられているため、着座者は着座面上に安定して腰掛けられる。
【００７２】
カウンター３上での洗体や洗髪により生じた、汚れを洗い流した湯水は、すのこ４５、４６上面（着座面）の上記勾配により、２つのすのこ４５、４６間の隙間（約５ｍｍ）に流れ、あるいはすのこ４５、４６とカウンター本体４３との隙間に流れ、それら隙間から、すのこ４５、４６が嵌め込まれた凹部４８（図８）に落ちる。このため、汚れた湯水が着座者の臀部周辺に滞留することを抑制でき、着座者に不快感を与えない。
【００７３】
凹部４８に落下した汚水は、その凹部４８に形成され、排水溝４７に向かう方向に下り勾配がつけられている排水路５１を排水溝４７に向けて流れ、連通路５３を通って排水溝４７に流れ込む。排水溝４７に流れ込んだ汚水は、洗い場２側に向かって流れ、洗い場２の床に落下する。
【００７４】
図１７は本発明の実施形態に係る浴室ユニットにおけるカウンターの分解斜視図である。
図１８は本発明の実施形態に係る浴室ユニットにおけるカウンターの側面断面図である。
図１９は本発明の実施形態に係る浴室ユニットにおけるカウンターの正面断面図であり、カウンターの下カバーを省略したものである。
図２０は本発明の実施形態に係る浴室ユニットにおける浴室内の平面図である。
【００７５】
本発明の実施形態に係る浴室ユニットは、浴槽１と、浴槽１に隣接して設けられた洗い場床２と、浴槽リム１２と洗い場床２との隙間を覆うためのバスエプロン１３と、洗い場床２を隔てて浴槽１に向き合う壁パネル７と、壁パネル７から浴槽１に渡って延在して設けられたカウンター７０と、カウンター７０にかかる荷重を支えるための支持材６３から構成されている。図２では支持材６３が1個で構成されているが、支持材６３が複数個で構成されてもよい。
【００７６】
図２０に示すように、カウンター７０の洗い場２側から見た後端部は壁パネル６の壁面に隣接し、左右両端のうち浴槽側の端部は浴槽１あるいはバスエプロンと隣接し、浴槽と反対側の端部は洗い場床２を隔てて浴槽１に向き合う壁パネル７の壁面と隣接している。
【００７７】
図１７に示すように、支持材６３は、浴槽１の短辺から延在して配置される壁パネル６と略平行、且つ浴槽１の長辺側およびバスエプロン１３と直交するように水平方向に延在して配置され、カウンター７０にかかる荷重を受けるためのカウンター受部６３aと、カウンター受部６３aの一端に配置され、カウンター７０にかかる荷重を地面に伝達するための下方に向かって突出した支持脚部６３bとを有し、略逆Ｌ字状に形成されている。
【００７８】
支持材６３のカウンター受部６３aは、強度や防錆性を考慮して、例えばステンレス製のチャンネル材（Ｃ字断面形状部材）からなっている。カウンター受部６３aの断面寸法は、例えば高さ４０mm、幅４０mmである。なお、カウンター受部６３aは角パイプやアングル材（Ｌ字断面形状部材）でもよい。ここで、カウンター受部６３ａはカウンター７０の前端部側に配置されるように構成されている。
【００７９】
図１８に示すように、支持材６３の支持脚部６３bは、カウンター受部６３aに溶接固定されている。支持脚部６３bは、丸パイプ６３１と、丸パイプ６３１に溶接固定された六角ナット６３２と、六角ナット６３２にねじ込まれた六角ボルト６３３と、六角ボルト６３３にねじ込まれた六角ナット６３４と、六角ボルト６３３の頭部を保護するゴムキャップ６３５から構成されている。
【００８０】
支持脚部６３bを上記構成とすることで、支持脚載置面からカウンター受け部６３aまでの高さを調整することができる。また、六角ボルト６３３の頭部をゴムキャップ６３５で保護しているので、支持脚に荷重がかかることによって発生する支持脚下端（つまり六角ボルト６３３の頭部）と支持脚載置面との間での音鳴りを防止できる。また、六角ボルト６３３の高さを調整後に六角ナット６３４を締め込むことによって、支持脚の高さを調整した位置で固定することができる。
【００８１】
図１９に示すように、支持脚部６３bの下端は、洗い場床２と、浴槽１の下方側に配置される浴槽側防水パン１４との接続部を跨るように配置された支持脚受材６４に載置されている。
別の実施形態としては、支持脚部６３bの下端が、洗い場床２の土手部２aに直接載置されてもよい。あるいは、支持脚部６３bの下端が、浴室ユニット設置面（地面）に直接載置されてもよく、バスエプロンの裏側であって浴室内に露出しない部分に支持脚６３ｂの下端が配置されるようになっていれば良い。
【００８２】
カウンター受部６３aにおける、支持脚部６３bとは逆側の端部６３cは、受けアングル６５を介して壁パネル７に固定されている。なお、６３cを直接壁パネル７に固定してもよい。
【００８３】
壁パネル７から浴槽１側に延在する壁パネル６には、一端が壁パネル６の壁面に取付固定される片持ち状の片持ち支持材６６を備え、片持ち支持材６６の他端は、カウンター受部６３aに載置される。カウンター接続材６７は、片持ち支持材６６が配置されていない場所に設置され、カウンター７０とカウンター受部６３aを接続している。なお、片持ち支持材６６とカウンター接続材６７を無くして、カウンター受部６３aにカウンター７０を載置してもよい。
【００８４】
上記支持構造により、カウンター７０にかかる荷重は、片持ち支持材６６を介して壁面６にも伝達されると同時に、支持材６３の支持脚部６３bと支持脚部６３bとは逆側の端部６３cを介して、洗い場床２と壁面７に伝達されるので、片持ち支持材６６だけでカウンター７０を支持する片持ち状の支持構造に比べて、支持強度を大きくするすることができる。したがって、例えば図１４に表すように、カウンター７０に着座しても十分な強度を有している。
【００８５】
カウンター７０の前端部側に支持材６３が配置されているので、片持ち支持材６６にかかる荷重を小さくすることができ、片持ち支持材の数を減らすことができる、あるいは片持ち支持材の強度を小さくすることができる。さらに、支持材６３を複数個配置し、カウンター前端部側だけでなくカウンター奥側でもカウンター７０にかかる荷重を受けることによって、片持ち支持材を無くすことも可能である。
【００８６】
カウンター７０は、全体が洗い場床２と離間して配置され、カウンター受部６３aを掩蔽するようにカウンター天板６１とカウンター下カバー６２から構成されている。
【００８７】
バスエプロン１３には、支持材６３のカウンター受部６３aをエプロン裏側に貫通させるための切り欠き１３aが形成されており、図１９に示すように、支持脚部６３bは浴槽１の裏側に載置され、支持脚部６３bを掩蔽するように浴槽１とバスエプロン１３が設置されている。バスエプロンの切り欠き１３ａの周辺には庇状の折り返し１３ｂが配置され、バスエプロンの裏側に水が浸入することを防いでいる。
【００８８】
上記構成により、カウンター７０にかかる荷重を受ける支持材が洗い場床上に露出しないので、カウンターの下方に足を入れるときに支持材が邪魔になったり、カウンター下方の洗い場床２を掃除するときに支持材が邪魔になることがない。また、スッキリとしたデザインとなり、洗い場を広く利用することができる。
【００８９】
上記構成により、カウンター下カバー６２が洗い場床２まで延在しないので、カウンター下方に足を入れることができる。また、スッキリとしたデザインとなり、洗い場を広く利用することができる。
【図面の簡単な説明】
【００９０】
【図１】本発明の実施形態に係るカウンターの前端部近傍の断面図である。
【図２】本発明の他の実施形態に係るカウンターの前端部近傍の断面図である。
【図３】本発明の実施形態に係る浴室ユニットにおける浴室内の斜視図である。
【図４】本発明の実施形態に係る浴室ユニットにおける棚付き水栓の拡大斜視図である。
【図５】本発明の実施形態に係る浴室ユニットにおけるカウンターの拡大斜視図である。
【図６】本発明の実施形態に係る浴室ユニットにおいて他の具体例のカウンターの着座面の拡大斜視図である。
【図７】図６に表すカウンターと浴槽との境界部分の拡大斜視図である。
【図８】図７においてすのこを取り外した状態を表す。
【図９】図６に表すカウンターと浴槽との境界部分の断面図である。
【図１０】図６に表すカウンターにおけるカウンター本体の浴槽側の端部を浴槽側から見た斜視図である。
【図１１】本発明の実施形態において、カウンターを使った浴槽に対する出入りを説明するための模式図である。
【図１２】本発明の実施形態において、浴槽リムを使った浴槽に対する出入りを説明するための模式図である。
【図１３】本発明の実施形態において、カウンター上を横移動するときの動作を表す模式図である。
【図１４】本発明の実施形態において、カウンター上に着座した状態を表す模式図である。
【図１５】図１４の状態から立ち上がる動作を表す模式図である。
【図１６】本発明の実施形態において、カウンターに腰掛けた状態からシャワーヘッドに手を伸ばす動作を表す模式図である。
【図１７】本発明の実施形態に係る浴室ユニットにおけるカウンターの分解斜視図である。
【図１８】本発明の実施形態に係る浴室ユニットにおけるカウンターの側面断面図である。
【図１９】本発明の実施形態に係る浴室ユニットにおけるカウンターの正面断面図であり、カウンター下カバーを省略したものである。
【図２０】本発明の実施形態に係る浴室ユニットにおける浴室内の平面図である。
【符号の説明】
【００９１】
１…浴槽、２…洗い場、３，７０…カウンター、４…棚付き水栓、１１…内槽、１２…浴槽リム、１３…バスエプロン、１４…浴槽側防水パン、２５…水栓操作部、４４…すのこ、４７…排水溝、４８…凹部、４９…洗面器置部、５１…排水路、６１…カウンター天板、６２…カウンター下カバー、６３…支持材、６４…支持脚受材、６５…受けアングル、６６…片持ち支持材、６７…カウンター接続材、７１…着座面、７２ａ〜７２ｅ…排水路
【図１】
0004993412.tif 000002
【図２】
0004993412.tif 000003
【図３】
0004993412.tif 000004
【図４】
0004993412.tif 000005
【図５】
0004993412.tif 000006
【図６】
0004993412.tif 000007
【図７】
0004993412.tif 000008
【図８】
0004993412.tif 000009
【図９】
0004993412.tif 000010
【図１０】
0004993412.tif 000011
【図１１】
0004993412.tif 000012
【図１２】
0004993412.tif 000013
【図１３】
0004993412.tif 000014
【図１４】
0004993412.tif 000015
【図１５】
0004993412.tif 000016
【図１６】
0004993412.tif 000017
【図１７】
0004993412.tif 000018
【図１８】
0004993412.tif 000019
【図１９】
0004993412.tif 000020
【図２０】
0004993412.tif 000021